(57)【要約】      （修正有）【課題】握り部又は摘み部を有する医療器具の握り部又は摘み部を、滑りにくくし、また指のフィット性を高めて持ちやすくし、長時間使用しても使用者は手が疲れにくく、精度の高い処置を可能とした医療器具を提供する。【解決手段】握り部２又は摘み部を有する医療器具１において、握り部２又は摘み部の表面の少なくとも一部が、エラストマーからなる被覆材３によって被覆されており、握り部２又は摘み部の表面の少なくとも一部に、前記被覆材３からなる凹凸面６が形成されている。【選択図】図１
0003178900.tif 000002
【実用新案登録請求の範囲】
【請求項１】
握り部又は摘み部を有する医療器具であって、
前記握り部又は前記摘み部の表面の少なくとも一部が、エラストマーからなる被覆材によって被覆されており、
前記握り部又は前記摘み部の表面の少なくとも一部に、前記被覆材からなる凹凸面が形成されていることを特徴とする医療器具。
【請求項２】
前記エラストマーがシリコーンゴムである請求項１に記載の医療器具。
【請求項３】
前記被覆材が管状被覆材である請求項１又は２に記載の医療器具。
【請求項４】
前記握り部又は前記摘み部にエラストマーからなるリングが挿し込まれ、前記被覆材が、前記リングの上から前記握り部又は前記摘み部の表面の少なくとも一部を被覆し、前記リングと前記被覆材によって、前記凹凸面が形成されている請求項１〜３のいずれか１項に記載の医療器具。
【請求項５】
前記リングを複数有し、
複数の前記リングが、互いに間隔を空けて前記握り部又は前記摘み部に挿し込まれている請求項４に記載の医療器具。
【請求項６】
前記握り部又は前記摘み部には、表面を裏面側に凹ませた溝部、および前記握り部又は前記摘み部を表面から裏面に貫く貫通孔の少なくとも１つが形成されており、
前記溝部及び前記貫通孔の少なくとも１つと前記被覆材によって、前記凹凸面が形成されている請求項１〜３のいずれか１項に記載の医療器具。
【請求項７】
前記溝部又は前記貫通孔が複数形成され、
複数の前記溝部又は前記貫通孔が互いに間隔を空けて配置されている請求項６に記載の医療器具。
【請求項８】
前記被覆材の端部の少なくとも一部が、接着剤によって前記握り部又は前記摘み部の表面に固定されている請求項１〜７のいずれか１項に記載の医療器具。
【請求項９】
前記医療器具が吸引用又は注流用のハンドピースであり、
前記吸引用又は注流用のハンドピースは、前記握り部又は前記摘み部の先端に、アタッチメントを取り付けるためのジョイントを有し、前記アタッチメントとして、先端に吸引針を有する吸引用アタッチメント又は先端に注流針を有する注流用アタッチメントを取り付けて用いるものである請求項１〜８のいずれか１項に記載の医療器具。
【請求項１０】
前記医療器具は、鑷子、剪刀、鉗子、持針器、スパーテル、鋭匙、輪匙又は鈎のいずれかである請求項１〜８のいずれか１項に記載の医療器具。
【請求項１１】
握り部と、前記握り部の先端において、先端に吸引針を有する吸引用アタッチメント又は先端に注流針を有する注流用アタッチメントを取り付けるためのジョイントとを有する吸引用又は注流用のハンドピースであって、
前記握り部に、エラストマーからなる複数のリングが互いに間隔を空けて挿し込まれており、
前記握り部の表面の少なくとも一部が、前記リングの上からエラストマーからなる被覆材によって被覆されて、前記握り部の表面の少なくとも一部に、前記リングと前記被覆材からなる凹凸面が形成されていることを特徴とする吸引用又は注流用のハンドピース。
【請求項１２】
摘み部を有する鑷子であって、
前記摘み部に、表面を裏面側に凹ませた溝部、および前記摘み部を表面から裏面に貫く貫通孔の少なくとも１つが形成されており、
前記摘み部の表面の少なくとも一部が、エラストマーからなる被覆材によって被覆されて、前記摘み部の表面の少なくとも一部に、前記溝部及び前記貫通孔の少なくとも１つと前記被覆材によって凹凸面が形成されていることを特徴とする鑷子。
【考案の詳細な説明】
【技術分野】
【０００１】
本考案は医療器具に関し、特に、吸引用又は注流用のハンドピース、鑷子＜せっし＞（ピンセット）、剪刀＜せんとう＞（はさみ）、鉗子＜かんし＞、持針器＜じしんき＞、スパーテル（はくりし）、鋭匙＜えいひ＞、輪匙＜りんひ＞、鈎＜こう＞といった、手で持って使用する医療器具に関する。
【背景技術】
【０００２】
手術などの医療処置において用いられる医療器具のうち、鑷子など手（指）で持つ部分を有する医療器具は、使用者がこの部分を握ったり又は摘んで保持することにより用いられる。そして、前記手に持つ部分と離れた先端部において、身体組織を摘む、切開する、かき出す、吸引する、あるいは先端部で針を保持する、組織に針を刺す、糸で縫合するなどの処置を行うために用いられる。
【０００３】
医療器具を用いてこれらの処置を確実に行うためには、使用者が手で持つ部分を確実に保持していることが重要である。特に、眼科手術などの顕微鏡下で行われるマイクロ手術と呼ばれる手術においては、非常に精度の高い処置がされている。そのために、使用者が手で持つ部分が滑りにくく、かつ長時間使用しても器具を持つ手が疲れにくい医療器具が求められていた。
【０００４】
従来、医療器具では、滑り止めとして、使用者が手で持つ部分の表面に溝や貫通孔などの凹部を設ける加工が行われていた。
【０００５】
下記特許文献１には、使用者が手で持つ部分に、前記滑り止め加工を設け、さらに、支持部材を突出させて設け、前記支持部材を２本の指の間に挟むことで器具を安定して保持することを可能としたマイクロ手術器具が開示されている。
【先行技術文献】
【特許文献】
【０００６】
【特許文献１】特許第４７３４４６９号公報
【考案の概要】
【考案が解決しようとする課題】
【０００７】
しかしながら、医療器具の多くはステンレスなどの金属製や硬質樹脂製であって素材が硬く、表面の平滑性が高い。使用者は多くの場合手袋を着用して医療器具を保持するため、前記凹部が設けられていても滑りやすかった。また手袋を着用していない場合は、使用者の汗で滑りやすかった。さらに手袋着用の有無に関わらず使用者の指になじみにくいものであった。従って、使用者の手に余分な力がかかり、医療器具を長時間使用すると使用者の手が疲れて確実に操作することができないという問題があった。
【０００８】
上記特許文献１に記載のマイクロ手術器具は、器具表面の滑りにくさや器具の保持性は改善されている。しかし、手で持つ部分の表面が硬く平滑であるため、依然として滑りやすく、クッション性に劣るため手が疲れやすかった。
【０００９】
そこで、本考案は、手で持つ部分の表面を滑りにくくし、また医療器具を長時間使用しても使用者の手が疲れにくくすることによって、医療処置を精度よく確実に行うことを目的とする。
【課題を解決するための手段】
【００１０】
本考案は、握り部又は摘み部を有する医療器具であって、前記握り部又は前記摘み部の表面の少なくとも一部が、エラストマーからなる被覆材によって被覆されており、前記握り部又は前記摘み部の表面の少なくとも一部に、前記被覆材からなる凹凸面が形成されていることを特徴とする。
【００１１】
前記考案においては、エラストマーがシリコーンゴムであること、被覆材が管状被覆材であることが好ましい。
【００１２】
前記考案においては、前記握り部又は前記摘み部にエラストマーからなるリングが挿し込まれ、前記被覆材が、前記リングの上から前記握り部又は前記摘み部の表面の少なくとも一部を被覆し、前記リングと前記被覆材によって、前記凹凸面が形成されていること、さらに、前記リングを複数有し、複数の前記リングが、互いに間隔を空けて前記握り部又は前記摘み部に挿し込まれていることが好ましい。
【００１３】
また、前記考案においては、前記握り部又は前記摘み部には、表面を裏面側に凹ませた溝部、および前記握り部又は前記摘み部を表面から裏面に貫く貫通孔の少なくとも１つが形成されており、前記溝部及び前記貫通孔の少なくとも１つと前記被覆材によって、前記凹凸面が形成されていること、さらに、前記溝部又は前記貫通孔が複数形成され、複数の前記溝部又は前記貫通孔が互いに間隔を空けて配置されていることが好ましい。
【００１４】
前記考案においては、前記被覆材の端部の少なくとも一部が、接着剤によって前記握り部又は前記摘み部の表面に固定されていることが好ましい。
【００１５】
前記考案においては、前記医療器具が吸引用又は注流用のハンドピースであり、前記吸引用又は注流用のハンドピースは、前記握り部又は前記摘み部の先端に、アタッチメントを取り付けるためのジョイントを有し、前記アタッチメントとして、先端に吸引針を有する吸引用アタッチメント又は先端に注流針を有する注流用アタッチメントを取り付けて用いるものであることが好ましい。あるいは、前記考案において、前記医療器具は、鑷子、剪刀、鉗子、持針器、スパーテル、鋭匙、輪匙又は鈎のいずれかであることが好ましい。
【００１６】
さらに本考案は、握り部と、前記握り部の先端において、先端に吸引針を有する吸引用アタッチメント又は先端に注流針を有する注流用アタッチメントを取り付けるためのジョイントとを有する吸引用又は注流用のハンドピースであって、前記握り部に、エラストマーからなる複数のリングが互いに間隔を空けて挿し込まれており、前記握り部の表面の少なくとも一部が、前記リングの上からエラストマーからなる被覆材によって被覆されて、前記握り部の表面の少なくとも一部に、前記リングと前記被覆材からなる凹凸面が形成されていることを特徴とする。
【００１７】
本考案は、摘み部を有する鑷子であって、前記摘み部に、表面を裏面側に凹ませた溝部、および前記摘み部を表面から裏面に貫く貫通孔の少なくとも１つが形成されており、前記摘み部の表面の少なくとも一部が、エラストマーからなる被覆材によって被覆されて、前記摘み部の表面の少なくとも一部に、前記溝部及び前記貫通孔の少なくとも１つと前記被覆材によって凹凸面が形成されていることを特徴とする。
【考案の効果】
【００１８】
本考案の医療器具は、握り部又は摘み部の表面が滑りにくく、柔軟性を有して指にフィットしやすい。従って、使用者は医療処置を精度よく行うことができ、しかも、握り部又は摘み部の表面を保持しやすく、長時間の作業においても手が疲れにくい。これにより、精度の高い医療処置を、長時間にわたって確実に行うことができる。
【図面の簡単な説明】
【００１９】
【図１】本考案の医療器具の第１の実施形態を示す斜視図である。
【図２】（ａ）本考案の医療器具の第１の実施形態を示す部分平面図、および（ｂ）部分断面図である。
【図３】本考案の医療器具の第２の実施形態を示す斜視図である。
【図４】本考案の医療器具の第２の実施形態を示す部分断面図である。
【考案を実施するための形態】
【００２０】
図１は本考案の第１の実施形態を示す図であり、握り部又は摘み部を有する医療器具１の一例としてハンドピース１０を示す斜視図である。図１に示すハンドピース１０は、使用者が手で握って保持する握り部２を有している。図２（ａ）は握り部２の部分平面図、図２（ｂ）は（ａ）と同じ部分の部分断面図である。図１に示すハンドピース１０は吸引用である。ただし注流用として用いてもよい。
【００２１】
図３は本考案の第２の実施形態を示す図であり、握り部又は摘み部を有する医療器具１の一例として鑷子２０を示す斜視図である。図３に示す鑷子２０は、２本の腕部のそれぞれに、使用者が手で摘んで保持する摘み部１２を有している。図４は一方の腕部（図３において上側に位置する腕部）の摘み部１２の部分断面図である。
【００２２】
本考案の医療器具１は、握り部２又は摘み部１２の表面の少なくとも一部が、エラストマーからなる被覆材３によって被覆されており、握り部２又は摘み部１２の表面の少なくとも一部に被覆材３からなる凹凸面６が形成されている。また、被覆材３はエラストマーからなり、柔軟性を有する。そのため、使用者が握り部２又は摘み部１２を手で保持したとき、使用者が手袋を着用していても、あるいは汗をかいたとしても、手が滑りにくい。また、エラストマーからなる被覆材３は形状追従性を有するため、被覆材３表面に形成された凹凸面６に指がフィットしやすい。従って、使用者が医療器具（握り部２又は摘み部１２）を手で保持しやすく、医療処置を正確に行うことができる。しかも長時間の作業においても手や指が疲れにくい。
【００２３】
被覆材３を構成するエラストマーは、例えばゴムなど、弾性を有するポリマーであり柔軟性を有する。エラストマーは、金属や硬質樹脂など、多くの医療器具を形成する素材に比べて柔らかく、表面が滑りにくい。エラストマーとしては、例えば、シリコーンゴム、ウレタンゴム、フッ素ゴム、加硫ゴムがあげられる。
【００２４】
本考案では、握り部２又は摘み部１２のフィット性を高め、手で保持しやすいものとするために、被覆材３として、柔軟性や形状追従性がより高いエラストマーを用いることが好ましい。そのような柔軟性や形状追従性が高いエラストマーとしては、シリコーンゴム、ウレタンゴムが好ましい。
【００２５】
さらに、医療器具は高圧蒸気（オートクレーブ）滅菌処理して、繰り返し使用されるため、耐熱性を有するエラストマーを被覆材３として用いることが好ましい。そのようなエラストマーを用いれば、握り部２又は摘み部１２を被覆材３で被覆したまま医療器具１を滅菌処理することができる。従って、滅菌処理のたびに被覆材３を取り外し、取り付ける手間がなく取り扱いが容易である。そのような耐熱性を有するエラストマーとしては、例えば、シリコーンゴム、フッ素ゴムなどがあげられる。なお、加硫ゴムには加硫剤が含まれている。従って、前記した滅菌処理の際にこの加硫剤が溶出し、その後医療器具１を使用したときに、溶出した加硫剤が細胞や組織に付着するおそれがある。
【００２６】
エラストマーを被覆材３として用いることで、握り部２又は摘み部１２が滑りにくく、指にフィットして持ちやすくすることができる。中でも、滑りにくさ、指へのフィット性が高い被覆材として、シリコーンゴム又はウレタンゴムを用いることが好ましい。さらに、本考案は医療器具にかかるものであり、上記した柔軟性、形状追従性に加え、滅菌処理を考慮するとシリコーンゴムが好適である。
【００２７】
シリコーンゴムは化学的に非常に安定した材料で、２００℃くらいまでの耐熱性を有し、耐薬品性に優れる。また表面の撥油性に優れており、汚れが付きにくい。そこで、被覆材３のエラストマーとしてシリコーンゴムを用いた場合、握り部２又は摘み部１２が滑りにくく、指へのフィット性に優れるのはもちろんのこと、被覆材３を被覆した状態で滅菌処理ができ、しかも汚れも付きにくい。そして、繰り返し使用ができるため、経済性にも優れる。
【００２８】
図１〜図３に示すように、エラストマーからなる被覆材３は、握り部２又は摘み部１２の表面の少なくとも一部を被覆しており、握り部２又は摘み部１２の表面の少なくとも一部に、被覆材３からなる凹凸面６が形成される。凹凸面６は、握り部２又は摘み部１２の表面に、被覆材３によって形成されているものであれば、その形成方法、形状等に特に制限はない。
【００２９】
凹凸面６の凹部は、被覆材３の表面が凹んだドット状の凹み部又は線状の溝部として形成することができる。前記凹凸面６の凸部は、被覆材３の表面が突出したドット状の突起部又は線状の突条部として形成することができる。
【００３０】
これら凹み部、溝部、突起部、突条部は、被覆材３の表面に少なくとも１つ形成されており、より好ましくは複数である。凹み部、溝部、突起部、突条部が複数形成される場合には、互いに間隔を空けて設けられることが好ましい。握り部２又は摘み部１２の大きさ、それぞれの凹部および凸部の大きさにもよるが、凹み部又は突起部は、それぞれ１〜５０個、溝部又は突条部は、それぞれ１〜５０本あることが好ましい。また、凹部（凹み部又は突起部）と、凸部（溝部又は突条部）が両方形成されていてもよい。なお、溝部又は突条部が複数ある場合、溝部又は突条部が同じ方向に延びていても、異なる方向に延びていてもよく、さらには互いに交叉していてもよい。
【００３１】
例えば、凹凸面６は、互いに隣り合う凹部と凸部のギャップ（凹凸方向の高さの差）が全て同じでもよいし、異なっていてもよい。ただし、前記ギャップは全てが０．１〜５ｍｍ、より好ましくは、０．５〜１．５ｍｍの範囲にあると、握り部２又は摘み部１２が滑りにくく、指へのフィット性に優れる。また、凹部が複数ある場合に、隣り合う凹部と凹部の間隔は一定でも、異なっていてもよい。凸部が複数ある場合の、隣り合う凸部と凸部の間隔、凹部および凸部が複数ある場合の、隣り合う凹部と凸部の間隔も同様である。
【００３２】
例えば、凹凸面６は、前記した凹部又は凸部、あるいは両方を、予め被覆材３の表面に形成しておき、この被覆材３を、前記凹部又は凸部が医療器具１の表面に位置するように、握り部２又は摘み部１２の表面に被覆することで形成することができる。
【００３３】
また、被覆材３の表面に凹部や凸部を形成するのではなく、握り部２又は摘み部１２の表面に、凹部又は凸部、あるいは両方を形成して凹凸面を形成してもよい。この凹凸面を含む握り部２又は摘み部１２の表面に被覆材３を被覆することで、被覆材３の表面に前記凹凸面を反映した形状の凹凸面６を形成することができる。
【００３４】
この場合、握り部２又は摘み部１２の表面に形成する凹部は、被覆材３の表面に形成される凹部と同様に、握り部２又は摘み部１２の表面を凹ませたドット状の凹み部又は線状の溝部を、少なくとも１つ設けることで形成できる。前記凹み部又は溝部が複数の場合は、互いに間隔を空けて形成されることが好ましい。
【００３５】
握り部２又は摘み部１２の表面に形成する凹部は、握り部２又は摘み部１２を表面から裏面に貫かれる貫通孔であってもよい。貫通孔は少なくとも１つであればよく、より好ましくは複数である。貫通孔が複数の場合には、互いに間隔を空けて形成されることが好ましい。貫通孔は、前記凹み部又は溝部とともに形成されていてもよい。
【００３６】
凹み部、溝部又は貫通孔は、握り部２又は摘み部１２の表面を削るなどして加工することで形成することができる。
【００３７】
握り部２又は摘み部１２の表面に形成する凸部は、被覆材３の表面に形成される凸部と同様に、握り部２又は摘み部１２の表面から突出したドット状の突起部又は線状の突条部として形成することができる。
【００３８】
凸部は、握り部２又は摘み部１２の表面の形状を加工して形成することができる。あるいは、握り部２又は摘み部１２の表面に、突起部又は凸条部を形成する部材を設けてもよい。このとき、前記部材を、柔軟性、形状追従性を有する材料で形成すると、さらに被覆材３表面の柔軟性、形状追従性を高めることができる。
【００３９】
また、握り部２又は摘み部１２の表面に設けられた前記凹み部、溝部又は貫通孔の位置に、前記突起部又は凸条部を形成する部材を設けると、これらの部材が握り部２又は摘み部１２の表面でずれたり、外れるのを抑えやすい。
【００４０】
本考案において、握り部２又は摘み部１２は、その表面の少なくとも一部が被覆材３によって被覆されている。即ち、握り部２又は摘み部１２の表面の一部が被覆されていても、握り部２又は摘み部１２の表面全体が被覆されていてもよい。また、握り部２又は摘み部１２の表面に被覆材３で被覆された部分が複数あるものであってもよい。ただし、使用者は握り部２又は摘み部１２のいずれの部分も保持することがあるため、握り部２又は摘み部１２の表面全体が被覆材３で被覆されていることが好ましい。
【００４１】
握り部２又は摘み部１２の表面に凹凸面を形成し、被覆材３を被覆して被覆材３の表面に前記凹凸面を反映した形状の凹凸面６を形成する場合には、少なくとも握り部２又は摘み部１２の表面の凹凸面を被覆材３によって被覆する。
【００４２】
被覆材３は、エラストマーからなるものであって、握り部２又は摘み部１２の表面を被覆するものであれば、その形状に特に制限はない。例えば、被覆材３は、フィルム状、シート状あるいは管状である。フィルム状被覆材又はシート状被覆材を用いると、握り部２又は摘み部１２の表面をこれらの被覆材で巻いたり、貼ったりするなど被覆する工程が複雑となるし、また被覆材の端部から剥がれやすい。一方、管状被覆材は、医療器具の端部から挿し込むことで握り部２又は摘み部１２の表面を容易に被覆することができる。
【００４３】
例えば、図１〜図３に示される医療器具１のように、管状、筒状、柱状の医療器具の場合には、管状被覆材を医療器具の端部から容易に挿し込むことができるので、管状被覆材を用いることが好ましい。ただし、医療器具の握り部２又は摘み部１２の表面を、フィルム状あるいはシート状の被覆材で巻いたり、貼ったりしてもよい。管状被覆材を用いる場合、被覆材の内径が、握り部２又は摘み部１２の被覆する箇所の全周よりやや小さいものを用いると、握り部又は摘み部２の表面への密着性に優れるため好ましい。
【００４４】
被覆材３の端部は、少なくとも一部が、接着剤によって、握り部２又は摘み部１２の表面に固定されていることが好ましい。端部の少なくとも一部が握り部２又は摘み部１２の表面に固定されていると、被覆材３が位置ずれしたり、外れたりすることを防止しやすい。さらに、被覆材３の両端部が握り部２又は摘み部１２の表面に固定されていると、被覆材３の位置ずれや外れをより防止できる。
【００４５】
また、被覆材３の端部が全周にわたって、握り部２又は摘み部１２の表面に固定されていると、前記した被覆材３の位置ずれや外れの防止効果が高く、さらに、被覆材３と握り部又は摘み部２の表面の隙間に水分や汚れなどが入り込むのを防ぐことができる。従って、使用中において、さらには被覆材３を被覆した状態での滅菌処理においても、被覆材３と握り部２又は摘み部１２の表面の隙間を清潔な状態に保つことができて好ましい。
【００４６】
被覆材３の端部の固定に用いる接着剤に特に制限はない。ただし、握り部２又は摘み部１２の材質、および被覆材３の材質に応じて、両者を接着できるように好ましいものを適宜選択する。さらに、前記したように医療器具は高圧蒸気滅菌処理して使用されるため、耐熱性を有し、高圧蒸気に曝されても溶出物がないものが好ましい。
【実施例】
【００４７】
［実施例１］
握り部又は摘み部を有する医療器具の一例として、図１に示すハンドピース１０を作製した（実施例１）。ハンドピース１０は中空の管状であり、図１に示すものは全長６６ｍｍ、内径２ｍｍ、外径４〜１１ｍｍである。ハンドピース１０は、管の長手方向の中央に握り部２を有する。
【００４８】
ハンドピース１０は、握り部２の先端に、アタッチメントを取り付けるためのジョイント５を有する。ハンドピースが吸引用の場合、このジョイント５に、先端に吸引針を有する吸引用アタッチメント（図示せず）を取り付け、握り部２の他端に吸引装置（図示せず）をつないで用いる。そして、握り部２を使用者が握って保持し、取り付けられた吸引針を操作することで、吸引針から不要物などを吸引除去することができる。注流用の場合も同様に、ジョイント５に、先端に注流針を有する注流用アタッチメント（図示せず）を取り付け、握り部２の他端に注流装置（図示せず）をつないで用いる。そして、握り部２を使用者が握って保持し、取り付けられた注流針を操作することで、注流針から患部に液などを注流することができる。
【００４９】
図１、図２に示すように、前記握り部２の表面には、シリコーンゴムからなるリング４が５個、長手方向に等間隔で挿し込まれて、それぞれが円周方向に延びる５個の凸部を形成している。そして、これらのリング４の上から、握り部２の表面が、被覆材３であるシリコーンゴムからなる管状体によって被覆されて、握り部２の表面に、リング４と被覆材３によって凹凸面６が形成されている。
【００５０】
前記リング４の幅は２ｍｍであり、隣り合うリング４どうしの間隔は４ｍｍである。握り部２の表面にリング４と被覆材３によって形成された凹凸面６は、ギャップは１ｍｍであり、隣り合う凸部どうしの間隔は６ｍｍである。
【００５１】
被覆材３であるシリコーンゴムからなる管状体は、接着剤によって、長手方向の両端部が全周にわたって、握り部２の表面に固定されている。
【００５２】
［実施例２］
握り部又は摘み部を有する医療器具の一例として、図３に示す鑷子２０を作製した（実施例２）。鑷子２０は、その長手方向に延びる二本の腕部が後端で連結されている。そして、それぞれの腕部は長手方向の中央に摘み部１２を有している。図３に示すものは、鑷子の全長が８５ｍｍ、最大幅９ｍｍである。
【００５３】
それぞれの摘み部１２の表面には、裏面側に凹んだ溝部が、幅方向（前記長手方向に直交する方向）に延びており、計６本の前記溝部は、長手方向に間隔を空けて設けられて、凹部が形成されている。前記溝部からなる凹部は、摘み部１２の外側に面した表面にそれぞれ設けられている。
【００５４】
そして、シリコーンゴムからなる管状体が、それぞれの腕部に挿し込まれている。これにより、摘み部１２の表面が被覆されて、摘み部１２の表面に、前記凹部と被覆材３によって凹凸面６が形成されている。被覆材３であるシリコーンゴムからなる管状体は、接着剤によって、長手方向の両端部が全周にわたって摘み部１２の表面に固定されている。
【００５５】
前記各溝部は、幅３ｍｍ、深さが１ｍｍであり、隣り合う溝部の間隔は１ｍｍである。摘み部１２の表面に前記溝部と被覆材３によって形成された凹凸面６は、ギャップは０.５ｍｍであり、隣り合う凸部どうしの間隔は４ｍｍである。
【００５６】
実施例１および２の医療器具１は、握り部２又は摘み部１２の少なくとも一部が、シリコーンゴムからなる被覆材３で被覆されている。そして、握り部２又は摘み部１２表面に、シリコーンゴムの被覆材３からなる凹凸面６が形成されている。このため、握り部２又は摘み部１２が被覆されていない従来の医療器具に比べて、握り部２又は摘み部１２の表面が滑りにくかった。また、握り部２又は摘み部１２が柔軟性および形状追従性を有しており、指にフィットして保持しやすいものであった。従って、長時間使用しても、使用者は手が疲れにくく、精度の高い処置ができた。
【産業上の利用可能性】
【００５７】
握り部又は摘み部を有する医療器具に、被覆材によって本考案と同様の被覆をすることで、医療器具を滑りにくくし、また保持しやすくすることができる。このような構成により、使用者の手の疲れを低減し、精度の高い処置を長時間可能とすることができる。
【符号の説明】
【００５８】
１    医療器具
２    握り部
３    被覆材
４    リング
５    ジョイント
６    凹凸面
１０  ハンドピース
１２  摘み部
２０  鑷子
【図１】
0003178900.tif 000003
【図２】
0003178900.tif 000004
【図３】
0003178900.tif 000005
【図４】
0003178900.tif 000006